(57)【要約】    【課題】  離農によって流動化するであろう農地を予め予測し、あるいはその借り手を見いだすことのできる装置を提供する。    【解決手段】判定時取得手段４は、判定を行う時点を取得する。この判定時は、予め記録されておいるものを取得してもよいし、外部から取り込むようにしてもよい。年齢判断手段６は、前記基礎情報中の年齢情報に基づいて、取得した判定時における各耕作者の年齢を算出する。年齢判断手段６は、判定時における各耕作者の年齢が所定年齢以上であるかどうかを判断する。流動農地予測手段８は、前記各区画の耕作者についての、前記年齢判断手段の判断結果と、後継者の有無情報と、規模拡大意向の有無情報とに基づいて、前記各区画が流動農地であるか否かを予測する。流動農地出力手段１０は、流動農地予測手段によって流動農地とされた区画と、流動農地でないとされた区画とを区別可能にして出力する。【選択図】  図１
2014089544.tif 000002
【特許請求の範囲】
【請求項１】
各耕作者の年齢情報、後継者の有無情報、規模拡大意向の有無情報、耕作している区画情報を含む基礎情報を記録した記録部と、
判定時を取得する判定時取得手段と、
前記年齢情報に基づいて、前記判定時における各耕作者の年齢を算出し、当該年齢が所定年齢以上であるかどうかを判断する年齢判断手段と、
前記各耕作者についての、前記年齢判断手段の判断結果と、後継者の有無情報と、規模拡大意向の有無情報とに基づいて、前記各耕作者が有する区画が流動農地であるか否かを予測し記録する流動農地予測手段と、
流動農地予測手段によって流動農地とされた区画と、流動農地でないとされた区画とを区別可能にして出力する流動農地出力手段と、
を備えた流動農地シミュレーション装置。
【請求項２】
請求項１の流動農地シミュレーション装置において、
前記基礎情報には、各区画によって区分された農地地図データが含まれており、
前記流動農地出力手段は、流動農地予測手段によって流動農地とされた区画と、流動農地でないとされた区画とを区別可能にして農地地図を出力することを特徴とする流動農地シミュレーション装置。
【請求項３】
請求項１または２の流動農地シミュレーション装置において、
前記流動農地予測手段は、前記判定年度において耕作者が所定年齢以上であり、前記後継者の有無情報が後継者がないことを示しており、前記規模拡大意向の有無情報が規模拡大意向が無いことを示している場合に、当該耕作者の有する各区画を流動農地であると判断することを特徴とする流動農地シミュレーション装置。
【請求項４】
請求項１〜３のいずれかの流動農地シミュレーション装置において、
前記耕作者についての、前記年齢判断手段の判断結果と、後継者の有無情報と、規模拡大意向の有無情報とに基づいて、前記流動農地であると予測された区画を耕作する可能性のある耕作者を抽出する候補者抽出手段を、さらに備えた流動農地シミュレーション装置。
【請求項５】
請求項４の流動農地シミュレーション装置において、
対象とする流動農地について、当該流動農地と前記借り手候補の所有する各区画との距離に基づいて、前記候補者の中から推奨候補者を抽出する推奨候補者抽出手段を、さらに備えた流動農地シミュレーション装置。
【請求項６】
請求項４の流動農地シミュレーション装置において、
対象とする流動農地について、当該流動農地と前記候補者の所有する各区画が、同一の地理的共同体に属するか否かに基づいて、前記候補者の中から推奨候補者を抽出する推奨候補者抽出手段を、さらに備えた流動農地シミュレーション装置。
【請求項７】
請求項１〜６のいずれかの流動農地シミュレーション装置において、
前記流動農地予測手段によって流動農地と予測された区画が、判定時に流動農地になっているか否かに基づいて、前記流動農地予測手段における予測の際の、前記年齢判断手段の判断結果、後継者の有無情報、規模拡大意向の有無情報のいずれかの重要度を変化させることを特徴とする流動農地シミュレーション装置。
【請求項８】
請求項４〜７のいずれかの流動農地シミュレーション装置において、
前記流動農地の判定年度以降における耕作者が誰であるかに基づいて、前記候補者抽出手段における抽出の際の前記年齢判断手段の判断結果、後継者の有無情報、規模拡大意向の有無情報のいずれかの重要度を変化させることを特徴とする流動農地シミュレーション装置。
【請求項９】
請求項１〜８のいずれかの流動農地シミュレーション装置において、
当該流動農地シミュレーション装置は、サーバ装置として構成され、
ユーザは、当該サーバ装置にインターネットを介して接続された端末装置からアクセスして使用することを特徴とする流動農地シミュレーション装置。
【請求項１０】
各耕作者の年齢情報、後継者の有無情報、規模拡大意向の有無情報、耕作している区画情報を含む基礎情報を記録した記録部を有するコンピュータを流動農地シミュレーション装置として機能させるためのプログラムであって、前記コンピュータを、
判定年度を取得する判定年度取得手段と、
前記年齢情報に基づいて、前記判定年度における各耕作者の年齢を算出し、当該年齢が所定年齢以上であるかどうかを判断する年齢判断手段と、
前記各耕作者についての、前記年齢判断手段の判断結果と、後継者の有無情報と、規模拡大意向の有無情報とに基づいて、前記各耕作者が有する区画が流動農地であるか否かを予測し記録する流動農地予測手段と、
流動農地予測手段によって流動農地とされた区画と、流動農地でないとされた区画とを区別可能にして出力する流動農地出力手段として機能させるための流動農地シミュレーションプログラム。
【請求項１１】
請求項１０の流動農地シミュレーションプログラムにおいて、
前記基礎情報には、前記各区画によって区分された農地地図データが含まれており、
前記流動農地出力手段は、流動農地予測手段によって流動農地とされた区画と、流動農地でないとされた区画とを区別可能にして農地地図を出力することを特徴とする流動農地シミュレーションプログラム。
【請求項１２】
請求項１０または１１の流動農地シミュレーションプログラムにおいて、
前記流動農地予測手段は、前記判定年度において耕作者が所定年齢以上であり、前記後継者の有無情報が後継者がないことを示しており、前記規模拡大意向の有無情報が規模拡大意向が無いことを示している場合に、当該耕作者の有する各区画を流動農地であると判断することを特徴とする流動農地シミュレーションプログラム。
【請求項１３】
請求項１０〜１２のいずれかの流動農地シミュレーションプログラムにおいて、前記コンピュータを、さらに
前記耕作者についての、前記年齢判断手段の判断結果と、後継者の有無情報と、規模拡大意向の有無情報とに基づいて、前記流動農地であると予測された区画を耕作する可能性のある耕作者を抽出する候補者抽出手段として機能させるための流動農地シミュレーションプログラム。
【請求項１４】
請求項１３の流動農地シミュレーションプログラムにおいて、前記コンピュータを、さらに
対象とする流動農地について、当該流動農地と前記候補者の所有する各区画との距離に基づいて、前記候補者の中から推奨候補者を抽出する推奨候補者抽出手段として機能させるための流動農地シミュレーションプログラム。
【請求項１５】
請求項１３の流動農地シミュレーションプログラムにおいて、前記コンピュータを、さらに
対象とする流動農地について、当該流動農地と前記候補者の所有する各区画が、同一の地理的共同体に属するか否かに基づいて、前記候補者の中から推奨候補者を抽出する推奨候補者抽出手段として機能させるための流動農地シミュレーションプログラム。
【請求項１６】
請求項１０〜１５のいずれかの流動農地シミュレーションプログラムにおいて、
前記流動農地予測手段によって流動農地と予測された区画が、判定時に流動農地になっているか否かに基づいて、前記流動農地予測手段における予測の際の、前記年齢判断手段の判断結果、後継者の有無情報、規模拡大意向の有無情報のいずれかの重要度を変化させることを特徴とする流動農地シミュレーションプログラム。
【請求項１７】
請求項１３〜１６のいずれかの流動農地シミュレーションプログラムにおいて、
前記流動農地の判定年度以降における耕作者が誰であるかに基づいて、前記候補者抽出手段における抽出の際の前記年齢判断手段の判断結果、後継者の有無情報、規模拡大意向の有無情報のいずれかの重要度を変化させることを特徴とする流動農地シミュレーションプログラム。
【請求項１８】
請求項１０〜１７のいずれかの流動農地シミュレーションプログラムにおいて、
前記流動農地シミュレーション装置は、サーバ装置として構成され、
ユーザは、当該サーバ装置にインターネットを介して接続された端末装置からアクセスして使用することを特徴とする流動農地シミュレーションプログラム。
【発明の詳細な説明】
【技術分野】
【０００１】
この発明は、離農可能性のある農地をシミュレーションする流動農地シミュレーション装置に関するものである。
【背景技術】
【０００２】
農地の転作や減反などにかかわる情報をコンピュータによって管理し、計画的・合理的な遂行を支援するためのシステムが提案されている。特許文献１には、各農地の属性情報を記録しておき、地図上でクリックすることにより、容易にその属性情報を見ることのできる装置が開示されている。
【先行技術文献】
【特許文献】
【０００３】
【特許文献１】特開２００２−２６９２９９
【発明の概要】
【発明が解決しようとする課題】
【０００４】
しかしながら、上記のような従来技術では、転作や減反のための計画を作成するための支援を得ることができるものの、近年問題となっている農業を辞めてしまう離農に対する対応策を作成するためには用いることができない。
【０００５】
そこで、この発明では、離農によって流動化するであろう農地を予め予測し、あるいはその借り手を見いだすことのできる装置を提供することを目的とする。
【課題を解決するための手段】
【０００６】
(1)(10)この発明に係る流動農地シミュレーション装置は、各耕作者の年齢情報、後継者の有無情報、規模拡大意向の有無情報、耕作している区画情報を含む基礎情報を記録した記録部と、判定時を取得する判定時取得手段と、前記年齢情報に基づいて、前記判定時における各耕作者の年齢を算出し、当該年齢が所定年齢以上であるかどうかを判断する年齢判断手段と、前記各耕作者についての、前記年齢判断手段の判断結果と、後継者の有無情報と、規模拡大意向の有無情報とに基づいて、前記各耕作者が有する区画が流動農地であるか否かを予測し記録する流動農地予測手段と、流動農地予測手段によって流動農地とされた区画と、流動農地でないとされた区画とを区別可能にして出力する流動農地出力手段とを備えている。
【０００７】
したがって、将来の判定時における流動農地の予測を適切に行うことができる。
【０００８】
(2)(11)この発明に係る流動農地シミュレーション装置は、基礎情報には、各区画によって区分された農地地図データが含まれており、流動農地出力手段は、流動農地予測手段によって流動農地とされた区画と、流動農地でないとされた区画とを区別可能にして農地地図を出力することを特徴としている。
【０００９】
したがって、将来の判定時における流動農地を農地地図上で確認することができる。
【００１０】
(3)(12)この発明に係る流動農地シミュレーション装置は、流動農地予測手段は、前記判定年度において耕作者が所定年齢以上であり、前記後継者の有無情報が後継者がないことを示しており、前記規模拡大意向の有無情報が規模拡大意向が無いことを示している場合に、当該耕作者の有する各区画を流動農地であると判断することを特徴としている。
【００１１】
したがって、規模拡大意向および後継者有無に基づいて、流動農地の予測を行うことができる。
【００１２】
(4)(13)この発明に係る流動農地シミュレーション装置は、耕作者についての、前記年齢判断手段の判断結果と、後継者の有無情報と、規模拡大意向の有無情報とに基づいて、前記流動農地であると予測された区画を耕作する可能性のある耕作者を抽出する候補者抽出手段を、さらに備えたことを特徴としている。
【００１３】
したがって、予測した流動農地について、代わって耕作を行う可能性の有る耕作者候補を抽出することができる。
【００１４】
(5)(14)この発明に係る流動農地シミュレーション装置は、対象とする流動農地について、当該流動農地と前記借り手候補の所有する各区画との距離に基づいて、前記候補者の中から推奨候補者を抽出する推奨候補者抽出手段をさらに備えたことを特徴としている。
【００１５】
したがって、予測した流動農地と耕作者候補の耕作する区画との距離に基づいて、推奨耕作者候補を抽出することができる。
【００１６】
(6)(15)この発明に係る流動農地シミュレーション装置は、対象とする流動農地について、当該流動農地と前記候補者の所有する各区画が、同一の地理的共同体に属するか否かに基づいて、前記候補者の中から推奨候補者を抽出する推奨候補者抽出手段をさらに備えたことを特徴としている。
【００１７】
したがって、予測した流動農地の耕作者と、耕作者候補が同一の地理的共同体に属するかどうかによって、推奨耕作者候補を抽出することができる。
【００１８】
(7)(16)この発明に係る流動農地シミュレーション装置は、流動農地予測手段によって流動農地と予測された区画が、判定時に流動農地になっているか否かに基づいて、前記流動農地予測手段における予測の際の、前記年齢判断手段の判断結果、後継者の有無情報、規模拡大意向の有無情報のいずれかの重要度を変化させることを特徴としている。
【００１９】
したがって、流動農地の予測制度を高めることができる。
【００２０】
(8)(17)この発明に係る流動農地シミュレーション装置は、流動農地の判定年度以降における耕作者が誰であるかに基づいて、前記候補者抽出手段における抽出の際の前記年齢判断手段の判断結果、後継者の有無情報、規模拡大意向の有無情報のいずれかの重要度を変化させることを特徴としている。
【００２１】
したがって、候補者候補の抽出精度を高めることができる。
【００２２】
(9)(18)この発明に係る流動農地シミュレーション装置は、流動農地シミュレーション装置は、サーバ装置として構成され、ユーザは、当該サーバ装置にインターネットを介して接続された端末装置からアクセスして使用することを特徴としている。
【００２３】
したがって、ユーザは端末装置から流動農地シミュレーションを利用することができる。
【００２４】
「判定時取得手段」は、実施形態においては、ステップＳ１２がこれに対応する。
【００２５】
「年齢判断手段」は、実施形態においては、ステップＳ１３、Ｓ１４がこれに対応する。
【００２６】
「流動農地予測手段」は、実施形態においては、ステップＳ１５〜Ｓ１７がこれに対応する。
【００２７】
「流動農地出力手段」は、実施形態においては、ステップＳ１８がこれに対応する。
【００２８】
「地理的共同体」とは、地理的に近接しておりその住民が共同体意識を有するような地理的単位をいう。実施形態においては、地区、集落がこれに該当する。
【００２９】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００３０】
【図１】この発明の一実施形態による流動農地シミュレーション装置の機能ブロック図である。
【図２】流動農地シミュレーション装置をサーバ装置Ｓとして構築した場合のシステム構成である。
【図３】サーバ装置Ｓのハードウエア構成である。
【図４】端末装置Ｔ1のハードウエア構成である。
【図５ａ】流動農地予測処理のフローチャートである。
【図５ｂ】流動農地予測処理のフローチャートである。
【図６】耕作者ＤＢの例である。
【図７】農地ＤＢの例である。
【図８】流動農地予測の地図である。
【図９】流動農地予測の際に表示される耕作者一覧である。
【図１０ａ】耕作者候補抽出処理のフローチャートである。
【図１０ｂ】耕作者候補抽出処理のフローチャートである。
【図１１】耕作者候補の抽出を説明するための図である。
【図１２】耕作者候補一覧の表示例である。
【図１３】流動農地と耕作者候補の圃場を示す図である。
【図１４】耕作者候補を抽出するために二以上の要素を考慮する場合のウエイトテーブルである。
【発明を実施するための形態】
【００３１】
１．機能ブロック図
図１に、この発明の一実施形態による流動農地シミュレーション装置の機能ブロック図を示す。記録部２は、耕作者の年齢情報、後継者の有無情報、規模拡大意向の有無情報、当該耕作者が耕作している区画情報を含む基礎情報を記録している。判定時取得手段４は、判定を行う時点を取得する。この判定時は、予め記録されておいるものを取得してもよいし、外部から取り込むようにしてもよい。
【００３２】
年齢判断手段６は、前記基礎情報中の年齢情報に基づいて、取得した判定時における各耕作者の年齢を算出する。さらに、年齢判断手段６は、判定時における各耕作者の年齢が所定年齢以上であるかどうかを判断する。
【００３３】
流動農地予測手段８は、前記各区画の耕作者についての、前記年齢判断手段の判断結果と、後継者の有無情報と、規模拡大意向の有無情報とに基づいて、前記各区画が流動農地であるか否かを予測する。さらに、流動農地出力手段１０は、流動農地予測手段によって流動農地とされた区画と、流動農地でないとされた区画とを区別可能にして出力する。
【００３４】
２．ハードウエア構成
図２に、流動農地シミュレーション装置をサーバ装置として構成した場合の全体図を示す。サーバ装置Ｓは、インターネットに接続されている。端末装置Ｔ1、Ｔ2・・・は、インターネットを介してサーバ装置Ｓにアクセスすることができる。
【００３５】
図３に、サーバ装置Ｓのハードウエア構成を示す。ＣＰＵ２０には、メモリ２２、ＤＶＤ−ＲＯＭドライブ２４、ハードディスク２６、通信回路２８が接続されている。ハードディスク２６には、オペレーティングシステム（ＯＳ）３２、流動農地シミュレーションプログラム３４、農地ＤＢ３６、耕作者ＤＢ３８が記録されている。通信回路２８は、インターネットに接続するためのものである。
【００３６】
流動農地シミュレーションプログラム３４は、ＯＳ３２と協働してその機能を発揮するものである。これらプログラムは、ＤＶＤ−ＲＯＭ３０に記録されていたものを、ＤＶＤ−ＲＯＭドライブ２４を介して、ハードディスク２６にインストールしたものである。
【００３７】
図４に、端末装置Ｔ1のハードウエア構成を示す。ＣＰＵ５０には、メモリ５２、ディスプレイ５４、キーボード／マウス５６、ＤＶＤ−ＲＯＭドライブ５８、ハードディスク６０、通信回路６２が接続されている。ハードディスク６０には、オペレーティングシステム（ＯＳ）６４、ブラウザプログラム６６が記録されている。通信回路６２は、インターネットに接続するためのものである。
【００３８】
ブラウザプログラム６６は、ＯＳ６４と協働してその機能を発揮するものである。これらプログラムは、ＤＶＤ−ＲＯＭ６８に記録されていたものを、ＤＶＤ−ＲＯＭドライブ５８を介して、ハードディスク６０にインストールしたものである。なお、他の端末装置Ｔ2・・・についても同様のハードウエア構成である。
【００３９】
３．流動農地シミュレーション処理
(1)流動農地予測処理
図５ａ、図５ｂに、流動農地予測処理における、端末装置Ｔ1のブラウザプログラム６６およびサーバ装置Ｓの流動農地シミュレーションプログラム３４のフローチャートを示す。
【００４０】
端末装置Ｔ1のブラウザプログラム６６（以下、端末装置Ｔ1と省略することがある）は、サーバ装置Ｓにアクセスし、座標などにより対象地域を指定して流動農地予測を要求する（ステップＳ１）。これを受けて、サーバ装置Ｓの流動農地シミュレーションプログラム３４（以下、サーバ装置Ｓと省略することがある）は、流動農地予測のために必要な判定時を入力するための画面を送信する（ステップＳ１１）。
【００４１】
端末装置Ｔ1は、この入力画面をディスプレイ５４において表示する。ユーザは、この画面を参照しながら、キーボード／マウス５６を用いて判定時および判定年齢を入力する。たとえば、今年が２０１２年であり５年後の流動農地を予測するのであれば、判定時を２０１７年４月１日などと入力する。また、判定の基礎として用いる判定年齢を入力する。ここでは、判定年齢として６５歳を入力したものとして説明を進める。端末装置Ｔ1は、入力された判定時をサーバ装置Ｓに送信する（ステップＳ２）。
【００４２】
サーバ装置Ｓは、判定時および判定年齢を受信し（ステップＳ１２）メモリ２２に記録する。次に、サーバ装置Ｓは、各耕作者の基礎情報から生年月日を取得する。
【００４３】
図６に、ハードディスク２６に記録された耕作者ＤＢの例を示す。ＩＤの欄には、各耕作者を特定するための耕作者ＩＤが記録されている。名前の欄には、各耕作者の名前が記録されている。生年月日の欄には、耕作者の生年月日が記録されている。この実施形態では、西暦４桁、月２桁、日２桁によって示している。
【００４４】
地区コードの欄には、その耕作者の居住する地区を示すコードが記録されている。集落コードの欄には、その耕作者の居住する集落を示すコードが記録されている。なお、この実施形態において集落は、数戸から構成される小単位のグループである。地区は、数個の集落から構成されるグループである。
【００４５】
後継者の有無の欄は、当該耕作者に後継者があるかどうかを示すものである。「１」は後継者無しを示し、「２」は後継者有りを示す。規模拡大意向の欄は、当該耕作者に耕作規模を拡大する意向があるかどうかを示すものである。「１」は拡大意向無しを示し、「２」は拡大意向有りを示す。
【００４６】
サーバ装置Ｓは、耕作者ＤＢから各耕作者の生年月日を取得する。さらに、取得した各耕作者の生年月日に基づいて、判定時における各耕作者の年齢を算出する（ステップＳ１３）。判定時が５年後であれば、各耕作者の現在の年齢ではなく、５年後の年齢を算出することになる。
【００４７】
このように、サーバ装置Ｓは、各耕作者の判定時における年齢を算出した後、当該年齢が６５歳（判定年齢）以上となる耕作者を抽出する（ステップＳ１４）。図６の例であれば、２０１７年４月１日を判定時とした場合、耕作者ＩＤ「０００３」「０００４」「０００５」「０００６」が抽出されることになる。
【００４８】
次に、サーバ装置Ｓは、抽出した耕作者のうち、後継者無しの者を抽出する（ステップＳ１５）。図６の例であれば、耕作者ＩＤ「０００４」「０００５」「０００６」が抽出されることになる。さらに、サーバ装置Ｓは、抽出した耕作者のうち、規模拡大意向無しの者を抽出する（ステップＳ１６）。図６の例であれば、耕作者ＩＤ「０００６」が抽出されることになる。
【００４９】
次に、サーバ装置Ｓは、ハードディスク２６の農地ＤＢ３６を参照して、抽出した耕作者の耕作する農地を取得する。
【００５０】
図７に、農地ＤＢ３６の例を示す。圃場ＩＤは、各圃場を特定するためのＩＤである。なお、この実施形態では、農地の畦畔や作付の境界によって区分された区画を圃場としている。また、この実施形態では、圃場ＩＤによって各圃場をユニークに特定するため、年度、町村コード、耕作者ＩＤ、耕作者ＩＤごとの通し番号、枝番号を組み合わせて、圃場ＩＤを構成するようにしている。
【００５１】
作物ＩＤは、当該圃場において作付されている作物を示すＩＤである。たとえば、「０１」であれば大豆、「０２」であれば米・・・というように割り当てられている。土壌情報は、当該圃場の土壌に関する情報である。面積は、当該圃場の面積である。地図情報には、当該圃場の形状と位置を示す情報が含まれている。
【００５２】
上記においては、耕作者ＩＤ「０００６」が抽出されているので、この耕作者の圃場を農地ＤＢから特定し、予想される流動農地とする（ステップＳ１７）。続いて、サーバ装置Ｓは、農地ＤＢから指定された範囲の圃場ＩＤの地図情報を読み出して、農地地図を生成する。この時、ステップＳ１７において予想した流動農地は、異なる色を付すようにしている（ステップＳ１８）。サーバ装置Ｓは、このようにして生成した農地地図を端末装置Ｔ1に送信する。なお、この際、サーバ装置Ｓは、各圃場の耕作者などの情報もあわせて送信する。
【００５３】
端末装置Ｔ1は、農地地図を受信し、ディスプレイ５４において表示する（ステップＳ３）。あるいは、プリンタ（図示せず）にて印刷する。
【００５４】
図８に、このようにして表示された農地地図の例を示す。図において、斜線の付された圃場が予測された流動農地である。端末装置Ｔ1のユーザが、キーボード／マウス５６を操作し、マウスカーソル１００を、農地地図上の予測流動農地にあわせると、図９に示すように、これに対応する圃場の情報を太枠にして表示する。
【００５５】
図８、図９の例であれば、カーソル１００の置かれた予測流動農地は、耕作者が田中次郎であり、作物が米であり、面積は９６平方メートル、泥炭土であることがわかる。なお、流動農地以外の圃場についても、カーソル１００を置くことにより、詳細情報を表示することができる。
【００５６】
端末装置Ｔ1を使用するユーザは、このようにして判定時において予想される流動農地とその詳細を知ることができる。
【００５７】
(2)耕作者候補抽出処理
次に、予想された流動農地について、たとえば、当該流動農地を借りるなどして、現在の耕作者に代わって耕作を行う可能性のある者の候補（耕作者候補）を抽出する処理を説明する。図１０ａ、図１０ｂは、耕作者候補抽出処理における、端末装置Ｔ1のブラウザプログラム６６およびサーバ装置Ｓの流動農地シミュレーションプログラム３４のフローチャートである。
【００５８】
ユーザは、端末装置Ｔ1を操作して、サーバ装置Ｓにアクセスし、候補者候補抽出処理を要求する（ステップＳ２１）。この時、ユーザは、いずれの予想流動農地について、候補者抽出処理を行うかを指定する。したがって、候補者候補抽出処理は、流動農地予測処理を実行した後に行うのが通常である。
【００５９】
これを受けて、サーバ装置Ｓは、ハードディスク２６に記録された耕作者ＤＢ３８を参照して、以下の処理を各耕作者について行う。まず、最初の耕作者について、当該耕作者が規模拡大意向を有しているかどうかを判断する（ステップＳ３１）。規模拡大意向を有していなければ、耕作者候補としては適さないので、ステップＳ３６に進み、次の耕作者を対象として、ステップＳ３１以下を繰り返す。
【００６０】
当該耕作者が規模拡大意向を有していれば、判定時における年齢が６５歳（判定年齢）以上であるかどうかを判断する（ステップＳ３２）。６５歳（判定年齢）未満であれば、当該耕作者を耕作者候補として抽出する（ステップＳ３５）。６５歳（判定年齢）以上であれば、当該耕作者に後継者があるかどうかを判断する（ステップＳ３３）。後継者がなければ、耕作者候補としては適さないので、ステップＳ３６に進み、次の耕作者を対象として、ステップＳ３１以下を繰り返す。後継者があれば、当該耕作者を耕作者候補として抽出する（ステップＳ３４）。
【００６１】
次に、サーバ装置Ｓは、全ての耕作者について処理したかどうかを判断する（ステップＳ３６）。未処理の耕作者があれば、次の耕作者を対象として（ステップＳ３７）、ステップＳ３１以下を繰り返し実行する。全ての耕作者についての処理が完了すれば、耕作者候補のリストが完成することになる。
【００６２】
次に、サーバ装置Ｓは、農地ＤＢ３６を参照して、抽出された耕作者候補が耕作している圃場を抽出する。さらに、これら圃場のうちで、対象としている流動農地に最も近い圃場の耕作者を、推奨候補者として抽出する（ステップＳ３８）。たとえば、図１１に示すように、対象となる流動農地に最も近い（たとえば、両圃場の最も近接した位置の間の距離に基づいて判断する）耕作者候補の圃場が、耕作者Ａによって耕作されている場合には、耕作者候補Ａが推奨候補者Ａとして抽出されることになる。
【００６３】
続いて、サーバ装置Ｓは、対象となる流動農地、耕作者候補の圃場、推奨耕作者候補の圃場を、それぞれ色分けして農地地図を生成する。これを、端末装置Ｔ1に送信する（ステップＳ３９）。この時、サーバ装置Ｓは、各圃場の情報もあわせて送信する。
【００６４】
端末装置Ｔ1は、この農地地図を受信し、ディスプレイ５４に表示する（ステップＳ２２）。あるいは、プリンタ（図示せず）に出力する。また、端末装置Ｔ1のユーザの選択により、耕作者候補、推奨耕作者候補の一覧を表示することもできる。耕作者候補一覧表示の例を、図１２に示す。
【００６５】
端末装置Ｔ1のユーザは、キーボード／マウス５６を操作して、耕作者候補のいずれかを選択することにより、当該耕作者候補の圃場の詳細を表示することができる。たとえば、ユーザによって耕作者候補の１行目の夕立太郎が選択されると、端末装置Ｔ1は、図１３に示すような農地地図をディスプレイ５４に表示する。
【００６６】
図１３において、流動農地２００とともに、選択された耕作者候補の耕作する圃場が、作物ごとに色分けされて表示されている。ユーザは、この図を見て、流動農地２００に最も近い圃場２０２は、異なる作物が植え付けられていることを認識することができる。また、同じ作物が植え付けられている圃場２０４は、少し離れていることがわかる。
【００６７】
以上のようにして、ユーザは、流動農地に対する各耕作者候補の耕作可能性を判断することができる。
【００６８】
４．その他の実施形態
(1)上記実施形態においては、生成した農地地図および関連データを端末装置Ｔ1に送信し、端末装置Ｔ1の側のブラウザプログラム６６にてローカルに表示処理を行っている。しかし、ユーザが所定の耕作者や圃場を選択するごとに、サーバ装置Ｓにアクセスして情報を取得し、表示するようにしてもよい。
【００６９】
(2)上記実施形態では、推奨耕作者候補として、流動農地から最も近い距離にある圃場を耕作する耕作者候補を抽出するようにしている。しかし、両圃場の直線距離ではなく、道路などにより移動に必要とされる距離に基づいて、判断するようにしてもよい。
【００７０】
また、上記距離に代えて、あるいは加えて、流動農地を耕作する耕作者と同一の地区（または集落）に居住する耕作者候補を、推奨耕作者候補として抽出するようにしてもよい。圃場が同じ地区にあるという場合よりも、耕作者が同じ地区にあるという場合の方が、圃場の貸し借りがスムースに進む可能性が高いからである。
【００７１】
(3)また、流動農地に作付けされている作物と同じもしくは類似する作物を作付けしている圃場を有する耕作者候補を、推奨耕作者候補としてもよい。
【００７２】
(4)また、流動農地の土壌情報に適応した作物をテーブルなどに記録しておき、当該作物と同じもしくは類似する作物を作付けしている耕作者候補を、推奨耕作者候補としてもよい。
【００７３】
(5)また、各耕作者の経営状況（耕作による収益など）をテーブルなどに記録しておき、経営状況の良い（所定値より収益の高い）耕作者候補を、推奨耕作者候補としてもよい。
【００７４】
(6)上記推奨耕作者候補の各抽出手法は、二以上を組み合わせて（たとえば、距離を主たる抽出要素として、作物が同じかどうかを従たる抽出要素として）抽出を行うようにしてもよい。この際、組み合わせて使用する各抽出要素に重み付けをして抽出するようにしてもよい。
【００７５】
たとえば、流動農地と圃場との距離に応じて図１４Ａに示すようなテーブルに基づいてポイントを決定する。また、図１４Ｂに示すようなテーブルに基づいて流動農地の作物と圃場の作物との組合せに基づくポイントを決定する。そして、距離のウエイトを２、作物のウエイトを１として、両ポイントを合計する。たとえば、流動農地と対象圃場との距離が５０ｍであり、流動農地の作物が小麦、圃場の作物が大豆である場合には、５０ポイント×２＋２０ポイント＝１２０ポイントが、当該圃場に対して付与される。これを全ての圃場に対して行い、所定のポイントを超える圃場の耕作者を耕作者候補として抽出することができる。
【００７６】
さらに、実際に流動農地を元の耕作者に代わって耕作する耕作者（引継ぎ耕作者）が判明した時点で、これをサーバ装置Ｓに記録し、これに基づいて、上記ウエイトを変更するようにしてもよい。実際の引継ぎ耕作者が出た場合には、当該引継ぎ耕作者の圃場のポイントが高くなるように、上記ウエイトを修正する。このようにして、次回からの耕作者候補の選定精度を高めることができる。
【００７７】
(7)上記説明したウエイト付けおよびその修正は、流動農地の予測においても同様に用いることができる。この際、流動農地の予測が当たったものと、あたらなかったものとを集計し、予測が当たったものに共通する要素（年齢、後継者の有無情報、規模拡大意向の有無情報など）について、ウエイトを高くするようにすればよい。
【００７８】
(8)上記実施形態では、ユーザが判定年齢をその都度入力するようにしている。しかし、ユーザが予め判定年齢を設定しておき、これが変更されない限り設定された判定年齢を用いるようにしてもよい。
【００７９】
(9)上記実施形態では、流動農地シミュレーション装置をサーバ装置Ｓとして、端末装置Ｔ1、Ｔ2・・・からアクセスするようにしている。しかし、コンピュータ単体（スタンドアローン）で、流動農地シミュレーション装置を実現するようにしてもよい。この場合、図５ａ、図５ｂのステップＳ１、Ｓ２、Ｓ３や、図１０ａ、図１０ｂのステップＳ２１、Ｓ２２も含めて、コンピュータ単体で実行することになる。
【図１】
2014089544.tif 000003
【図２】
2014089544.tif 000004
【図３】
2014089544.tif 000005
【図４】
2014089544.tif 000006
【図５ａ】
2014089544.tif 000007
【図５ｂ】
2014089544.tif 000008
【図６】
2014089544.tif 000009
【図７】
2014089544.tif 000010
【図９】
2014089544.tif 000011
【図１０ａ】
2014089544.tif 000012
【図１０ｂ】
2014089544.tif 000013
【図１２】
2014089544.tif 000014
【図１４】
2014089544.tif 000015
【図８】
2014089544.tif 000016
【図１１】
2014089544.tif 000017
【図１３】
2014089544.tif 000018